(57)【要約】【課題】  デジタル放送の視聴者が、視聴している場所を含むエリアに関連する情報を取得することが可能なエリア関連情報提供システムを提供することを課題とする。【解決手段】  携帯可能なデジタル放送受信装置１００と、エリア関連情報サーバ２００が接続されたエリア関連情報提供システムにおいて、デジタル放送受信装置１００内のＧＰＳ機能で取得した位置情報と、受信した放送波から取得した番組ＩＤを、エリア関連情報サーバ２００がデジタル放送受信装置１００から受信すると、エリア関連情報サーバ２００は、受信した番組ＩＤで番組テーブル（ａ）を参照して参照ＤＢＩＤを取得する。さらに、エリア関連情報サーバ２００は、取得した参照ＤＢＩＤに対応する参照ＤＢを、受信した位置情報で参照して誘導先アドレスを得て、デジタル放送受信装置１００に送信する。デジタル放送受信装置１００では、自身の位置に関連した誘導先アドレスを取得することができ、このアドレスにアクセスすることにより、そのエリアの情報を取得することができる。【選択図】  図３
2009246643.tif 000002
【特許請求の範囲】
【請求項１】
デジタル放送を受信する機能、位置特定機能、通信機能を有するデジタル放送受信装置と、当該デジタル放送受信装置とデータ送受信可能に接続されたエリア関連情報サーバ、ページ管理サーバを有し、前記デジタル放送受信装置に対して、当該デジタル放送受信装置の受信地を含むエリアに関連するエリア関連情報を提供するシステムであって、
前記ページ管理サーバは、デジタル放送受信装置が処理可能な形式で形成されたページデータを記憶するページデータ記憶手段と、前記デジタル放送受信装置からの要求に従って、前記ページデータ記憶手段に記憶されたページデータを前記デジタル放送受信装置に送信するページデータ送信手段と、を有し、
前記エリア関連情報サーバは、特定の地域を示すエリアＩＤと前記エリア関連情報を対応付けた参照ＤＢを番組単位で記憶したエリア関連情報記憶手段と、前記デジタル放送受信装置から受信した番組ＩＤに対応する参照ＤＢを参照して、前記デジタル放送受信装置から受信した位置情報に対応するエリア関連情報を取得するエリア関連情報取得手段と、当該取得したエリア関連情報を、前記デジタル放送受信装置に送信するエリア関連情報送信手段と、を有することを特徴とするエリア関連情報提供システム。
【請求項２】
デジタル放送を受信する機能、位置特定機能、通信機能を有するデジタル放送受信装置とデータ送受信可能に接続され、前記デジタル放送受信装置にエリア関連情報を提供するサーバであって、
特定の地域を示すエリアＩＤと前記エリア関連情報を対応付けた参照ＤＢを番組単位で記憶したエリア関連情報記憶手段と、前記デジタル放送受信装置から受信した番組ＩＤに対応する参照ＤＢを参照して、前記デジタル放送受信装置から受信した位置情報に対応するエリア関連情報を取得するエリア関連情報取得手段と、当該取得したエリア関連情報を、前記デジタル放送受信装置に送信するエリア関連情報送信手段と、
を有することを特徴とするエリア関連情報サーバ。
【請求項３】
請求項２に記載のエリア関連情報サーバとして、コンピュータを機能させるためのプログラム。
【発明の詳細な説明】
【技術分野】
【０００１】
本発明は、地上デジタル放送を利用して地域を特定したサービスを提供するための技術に関する。
【背景技術】
【０００２】
近年、携帯電話などの移動体向けとして、地上デジタル放送１セグメント部分受信サービス（以下、「ワンセグ放送」という）が行われている。このワンセグ放送においては、２００８年にサイマル放送の義務化が解除されることにより、独自の番組編成・制作を行うことができるようになった。このため、ワンセグ放送は今後も視聴環境が広がることが予想され、広告主が自由なサービスを提供できるメディアとなりつつある。
【発明の開示】
【発明が解決しようとする課題】
【０００３】
ワンセグ放送受信機能は、携帯電話機等の携帯端末に搭載されているため、持ち運びが簡便で、場所を選ばずにテレビが視聴できることを特長としているが、現状においては、その特長を十分に生かしたサービスが提供されているとは言えない。
【０００４】
そこで、本発明は、デジタル放送の視聴者が、視聴している場所を含むエリアに関連する情報を取得することが可能なエリア関連情報提供システムを提供することを課題とする。
【課題を解決するための手段】
【０００５】
上記課題を解決するため、本発明では、デジタル放送を受信する機能、位置特定機能、通信機能を有するデジタル放送受信装置と、当該デジタル放送受信装置とデータ送受信可能に接続されたエリア関連情報サーバ、ページ管理サーバを有し、前記デジタル放送受信装置に対して、当該デジタル放送受信装置の受信地を含むエリアに関連するエリア関連情報を提供するシステムであって、前記ページ管理サーバは、デジタル放送受信装置が処理可能な形式で形成されたページデータを記憶するページデータ記憶手段と、前記デジタル放送受信装置からの要求に従って、前記ページデータ記憶手段に記憶されたページデータを前記デジタル放送受信装置に送信するページデータ送信手段と、を有し、前記エリア関連情報サーバは、特定の地域を示すエリアＩＤと前記エリア関連情報を対応付けた参照ＤＢを番組単位で記憶したエリア関連情報記憶手段と、前記デジタル放送受信装置から受信した番組ＩＤに対応する参照ＤＢを参照して、前記デジタル放送受信装置から受信した位置情報に対応するエリア関連情報を取得するエリア関連情報取得手段と、当該取得したエリア関連情報を、前記デジタル放送受信装置に送信するエリア関連情報送信手段を有することを特徴とするエリア関連情報提供システムを提供する。
【発明の効果】
【０００６】
本発明によれば、デジタル放送受信装置とデータ送受信がエリア関連情報サーバが、エリアＩＤとエリア関連情報を対応付けた参照ＤＢを番組ごとに記憶したエリア関連情報記憶手段を備え、デジタル放送受信装置から受信した番組ＩＤと位置情報に対応するエリア関連情報を送信するようにしたので、ワンセグ放送の視聴者が、視聴している場所を含むエリアに関連する情報を取得することが可能となる。
【発明を実施するための最良の形態】
【０００７】
以下、本発明の好適な実施形態について、図面を参照して詳細に説明する。
（１．システム構成）
図１は、本発明に係るエリア関連情報提供システムの一実施形態を示す構成図である。図１において、１００はデジタル放送受信装置、２００はエリア関連情報サーバ、２１０はエリア関連情報記憶手段、２２０はエリア関連情報取得手段、２３０はエリア関連情報送信手段、３００はページ管理サーバである。
【０００８】
デジタル放送受信装置１００は、デジタル放送の一種であるワンセグ放送を受信する機能、位置特定機能であるＧＰＳ（Global Positioning System）機能、インターネット等のコンピュータネットワーク通信機能を搭載した携帯型の端末装置であり、例えば、ワンセグ放送受信機能、ＧＰＳ機能、コンピュータネットワークへの通信機能を搭載した市販の携帯電話機により実現される。本実施形態では、デジタル放送の一種であるワンセグ放送を例にとって説明するが、本発明は、ワンセグ放送以外のデジタル放送に適用することも可能である。
【０００９】
エリア関連情報サーバ２００は、エリア関連情報記憶手段２１０、エリア関連情報取得手段２２０、エリア関連情報送信手段２３０を有する。エリア関連情報記憶手段２１０は、特定の地域を示すエリアＩＤとエリア関連情報を対応付けた参照ＤＢを番組ごとに記憶したものであり、エリア関連情報サーバ２００を実現するサーバコンピュータに内蔵または接続されたハードディスク等の記憶装置により実現される。エリア関連情報取得手段２２０は、デジタル放送受信装置１００から受信した番組ＩＤに対応する参照ＤＢ（データベース）を参照して、受信した位置情報が属するエリアＩＤのエリア関連情報を取得する。エリア関連情報送信手段２３０は、取得したエリア関連情報を、位置情報の送信元であるデジタル放送受信装置１００に送信する。本実施形態では、エリア関連情報送信手段２３０は、電子メール作成機能および電子メール送信機能を備え、エリア関連情報を本文に組み込んだ電子メールを作成して送信する。エリア関連情報サーバ２００は、インターネット等のコンピュータネットワークに接続されたサーバコンピュータに、エリア関連情報記憶手段２１０、エリア関連情報取得手段２２０、エリア関連情報送信手段２３０として機能する専用のプログラムを組み込むことにより実現される。エリア関連情報送信手段２３０として機能するプログラムは、汎用の電子メールソフトウェアを起動する命令も含んでいる。
【００１０】
ページ管理サーバ３００は、ＢＭＬ（Broadcast Markup Language）形式のページデータを管理するサーバコンピュータであり、ページデータに記述された命令が本発明特有のものである以外は、特に従来のものと違いはない。ページ管理サーバ３００は、ハードディスク等で実現されるページデータ記憶手段にページデータを記憶しておき、デジタル放送受信装置１００からの要求に従い、要求されたページデータをデジタル放送受信装置１００に送信する。
【００１１】
図２は、デジタル放送受信装置１００のハードウェア構成図である。図２における構成は、市販のワンセグ放送受信機能付きの携帯電話機そのものである。図２において、１はアンテナ、２はチューナ、３はＯＦＤＭ復調器、４はＴＳ（トランスポートストリーム）デコーダ、５は音声デコーダ、６は映像デコーダ、７はモノメディアデコーダ、８はＢＭＬブラウザ、９はスピーカ・イヤホン、１０は表示デバイス、１１はＣＰＵ、１２はＲＡＭ、１３はＲＯＭ、１４はＮＶＲＡＭ、１５は通信インタフェース、１６はキーインタフェース、１７は操作キー、１８はＧＰＳ機能である。
【００１２】
デジタル放送受信装置１００においては、アンテナ１、チューナ２を介して、本線映像と付属音声、およびＢＭＬを含む放送波を受信すると、ＯＦＤＭ復調器３がＯＦＤＭ復調を行った後、ＴＳデコーダ４が本線映像、付属音声、ＢＭＬを分離する。そして付属音声は音声デコーダ５によりデコードされ、スピーカまたはイヤホン９から出力される。本線映像は、映像デコーダ６によりデコードされ、表示デバイス１０に表示される。ＢＭＬについては、ＢＭＬブラウザ８により解釈され、表示デバイス１０に表示する処理を行う。このうち、ＢＭＬに記述されたモノメディアについては、モノメディアデコーダ７が通信インタフェース１５を介して、外部のデータサーバから取得し、ＢＭＬブラウザ８の処理によって表示デバイス１０に表示される。また、ＢＭＬブラウザに対する指示は、操作キー１７からキーインタフェース１６を介して行うことができるように構成されている。ＧＰＳ機能１８は、定期的に衛星から電波を受信し、常に自身の位置を緯度、経度からなる位置情報として算出し、ＣＰＵ１１からの位置情報の要求に応じて保持している位置情報をＣＰＵ１１に返信する。
【００１３】
図３は、エリア関連情報記憶手段２１０に記憶された情報の一例を示す図である。図３に示すように、エリア関連情報記憶手段２１０には、番組ＩＤと参照ＤＢＩＤの関係を対応付けた番組テーブルと、特定の地域を示すエリアＩＤとエリア関連情報を対応付けた参照ＤＢが記憶されている。図３（ａ）に示すように、番組テーブルには、番組名、番組ＩＤ、タイムコード、参照ＤＢＩＤが対応付けて記憶されている。タイムコードは、番組の開始時刻と終了時刻を示すものであり、参照ＤＢＩＤは、番組ごとに設けられた参照ＤＢを特定するＩＤである。また、図３（ｂ）に示すように、参照ＤＢには、エリアＩＤ、緯度、経度、誘導先アドレスが対応付けて記憶されている。図３（ｂ）は、ＤＢ２に対応したものを示している。エリアＩＤは、任意の緯度、経度で特定される所定のエリアを他のエリアと区別するために付与されたＩＤである。誘導先アドレスは、エリア関連情報の一種であり、エリアＩＤで特定されるエリアに存在する店舗等のＵＲＬである。エリア関連情報としては、そのエリアに関連する情報であれば、誘導先アドレス以外の情報を採用しても良い。
【００１４】
ＢＭＬ形式のページデータは、互いにリンクされた複数のページにより１つのグループが構成されているが、放送波には先頭ページＰ１のみが含まれ、ページページ管理サーバ３００内のページデータ記憶手段内には先頭ページＰ１を除く他の全てのページ（例えば、Ｎ個のページにより１つのグループが構成されている場合は、Ｐ２〜ＰＮ）が格納されている。これ以外にも、例えば、先頭ページＰ１に遷移するためのＴＯＰページのみを放送波で送出し、Ｐ１〜ＰＮをページ管理サーバ３００に格納するようにしても良い。
【００１５】
図４は、本実施形態で利用するページを表示した際の、表示デバイス１０の画面の一例を示す図である。図４（ａ）〜（ｃ）において、上半分の網掛けを施した部分は、本線映像であり、下半分はページである。本実施形態では、３個のページＰ１、Ｐ２、Ｐ３により１つのグループが構成されたページデータを用いる。ページデータはＢＭＬ形式で記述されており、ＢＭＬブラウザにより解釈されて画面表示が行われる。
【００１６】
ページデータＰ１は、放送波により送信され、アンテナ１で受信されるものである。これに対して、ページデータＰ２、Ｐ３は、ページ管理サーバ３００内のページデータ記憶手段内に記憶されている。ページデータＰ１には、ボタンＢ１が設けられており、このボタンＢ１に関連付けて、ＧＰＳ機能１８から受信機の現在地を取得するX_DPA_getCurPos()が記述されているとともに、ページ管理サーバ３００にアクセスしてページデータＰ２を取得するための命令が記述されており、利用者がボタンＢ１を操作すると、ＣＰＵ１１は、X_DPA_getCurPos(GPS)関数を解釈して、ＧＰＳ機能１８から受信機の現在位置を取得する処理を実行するとともに、ページＰ２を表示デバイス１０に表示する。ＧＰＳ機能１８は、ＣＰＵ１１からX_DPA_getCurPos(GPS)に基づく命令を受けたときには、測位情報の形式、現在位置の緯度、現在位置の経度、測位及び座標系名称、測位結果の誤差情報を返す処理を行う。
【００１７】
ページデータＰ２には、ボタンＢ２、Ｂ３が設けられており、ボタンＢ２に関連付けて、ページ管理サーバ３００にアクセスしてページデータＰ３を取得するための命令が記述されている。ページデータＰ３には、ボタンＢ４、Ｂ５が設けられており、ボタンＢ４に関連付けて、位置情報および番組ＩＤをエリア関連情報サーバ２００に送信する命令が記述されている。
【００１８】
（２．処理動作）
次に、図１に示したシステムの処理動作について説明する。視聴者がデジタル放送受信装置１００を携帯し、ある地点でワンセグ放送を受信していたとする。このとき、デジタル放送受信装置１００では、放送局からコンテンツデータを受信し、所定の処理を行って映像、ＢＭＬデータを表示デバイス１０に出力するとともに、音声をスピーカ・イヤホン９から出力する処理を行う。ＢＭＬブラウザ８は、ＢＭＬデータを解釈して表示デバイス１０に出力する処理を行うが、放送波に含まれるページデータＰ１を処理すると、表示デバイス１０には、図４（ａ）に示すような画面が表示される。
【００１９】
この状態で、視聴者がボタンＢ１に対する操作を操作キー１７から行うと、その指示を受けてＣＰＵ１１は、ページデータＰ１においてボタンＢ１に組み込まれた命令を実行する。ボタンＢ１には、上述のように、ＧＰＳ機能１８から受信機の現在地を取得する命令、ページデータＰ１から番組ＩＤを取得する命令、およびページ管理サーバ３００からページデータＰ２を取得する命令が組み込まれているため、ＣＰＵ１１は、X_DPA_getCurPos()関数を解釈して、ＧＰＳ機能１８から受信機の位置情報を取得する処理を実行するとともに、ページデータＰ１から番組ＩＤを取得する処理を実行し、さらに通信インターフェイス１５を介して設定されているページ管理サーバ３００にアクセスし、ページデータＰ２を取得する。ここで、ＣＰＵ１１は、ＧＰＳ機能１８から測位情報の形式、現在位置の緯度、現在位置の経度、測位及び座標系名称、測位結果の誤差情報を受け取るが、測位情報の形式、測位結果の誤差情報を用いて、現在位置の緯度、現在位置の経度を補正し、緯度・経度の位置情報として保持する。取得したページデータＰ２は、ＢＭＬブラウザにより処理され、表示デバイス１０に表示される。このときの表示画面を図４（ｂ）に示す。
【００２０】
図４（ｂ）に示すように、ページＰ２が表示された状態で、視聴者によりボタンＢ２が操作されると、ＣＰＵ１１は、ページデータＰ２においてボタンＢ２に組み込まれた命令を実行する。ボタンＢ２には、上述のように、ページ管理サーバ３００からページデータＰ３を取得する命令が組み込まれているため、ＣＰＵ１１は、通信インターフェイス１５を介して設定されているページ管理サーバ３００にアクセスし、ページデータＰ３を取得する。取得したページデータＰ３は、ＢＭＬブラウザにより処理され、表示デバイス１０に表示される。このときの表示画面を図４（ｃ）に示す。
【００２１】
図４（ｃ）に示すように、ページＰ２が表示された状態で、視聴者によりボタンＢ４が操作されると、ＣＰＵ１１は、電子メールソフトウェアを起動し、既に取得した位置情報および番組ＩＤを本文として含んだ文章を作成するとともに、宛先をエリア関連情報サーバ２００のアドレスとした電子メールを作成する。このとき、作成された電子メールを図５（ａ）に示す。視聴者が、電子メールの送信指示を操作キー１７から行うと、ＣＰＵ１１は、通信インターフェイス１５を介して、作成した電子メールをエリア関連情報サーバ２００に送信する。
【００２２】
エリア関連情報サーバ２００では、番組ＩＤと位置情報を受信すると、エリア関連情報取得手段２２０が、その番組ＩＤで番組テーブルを参照し、参照ＤＢＩＤを取得する。さらに、エリア関連情報取得手段２２０は、取得した参照ＤＢＩＤに対応する参照ＤＢを参照し、受信した位置情報が含まれる誘導先アドレスを取得する。
【００２３】
続いて、エリア関連情報送信手段２３０が、取得した誘導先アドレスを本文として含んだ文章を、アクセス元のデジタル放送受信装置１００に電子メールで送信する。デジタル放送受信装置１００がエリア関連情報サーバ２００から電子メールを受信した後、視聴者からその電子メールを閲覧する指示が行われると、デジタル放送受信装置１００は受信した電子メールを表示デバイス１０に表示する。このとき、表示デバイス１０に表示された電子メール画面の一例を図５（ｂ）に示す。
【００２４】
エリア関連情報サーバ２００から受信した電子メールには、誘導先アドレスが組み込まれているので、視聴者がその誘導先アドレスに対する操作を行うと、デジタル放送受信装置１００は操作された誘導先アドレスで特定されるＷｅｂサーバにアクセスし、そのアドレスに存在する情報（例えば、そのエリアに存在する店舗のホームページ等）を取得する。デジタル放送受信装置１００は、取得したエリア情報を画面に表示させる。このようにして、視聴者は視聴しているエリアの情報を取得することができる。例えば、エリア情報として、特売の情報などを得れば、視聴者はその場からすぐにそのエリアに存在する店舗に買物に行くことができる。一方、店舗側としては、店舗付近に存在する人に、効率的に広告を送ることができる。
【００２５】
以上、本発明の好適な実施形態について説明したが、本発明は上記実施形態に限定されず、種々の変形が可能である。例えば、上記実施形態では、デジタル放送受信装置１００の位置情報を特定する機能として、ＧＰＳを用いたが、デジタル放送受信装置１００が通信を行う際の基地局の位置情報から特定するセルベース方式を用いるようにしても良い。セルベース方式を用いる場合、デジタル放送受信装置１００はＧＰＳ機能１８に代えて、セルベース機能を搭載する。
【図面の簡単な説明】
【００２６】
【図１】本発明に係るエリア関連情報提供システムの一実施形態を示す構成図である。
【図２】デジタル放送受信装置１００のハードウェア構成図である。
【図３】エリア関連情報記憶手段２１０に記憶された情報の一例を示す図である。
【図４】本実施形態で利用するページを表示した際の、表示デバイス１０の画面の一例を示す図である。
【図５】デジタル放送受信装置１００に表示された電子メール画面の一例を示す図である。
【符号の説明】
【００２７】
１・・・アンテナ
２・・・チューナ
３・・・ＯＦＤＭ復調器
４・・・ＴＳデコーダ
５・・・音声デコーダ
６・・・映像デコーダ
７・・・モノメディアデコーダ
８・・・ＢＭＬブラウザ
９・・・スピーカ・イヤホン
１０・・・表示デバイス
１１・・・ＣＰＵ
１２・・・ＲＡＭ
１３・・・ＲＯＭ
１４・・・ＮＶＲＡＭ
１５・・・通信インタフェース
１６・・・キーインタフェース
１７・・・操作キー
１８・・・ＧＰＳ機能
１００・・・デジタル放送受信装置
２００・・・エリア関連情報サーバ
２１０・・・エリア関連情報記憶手段
２２０・・・エリア関連情報取得手段
２３０・・・エリア関連情報送信手段
３００・・・ページ管理サーバ
【図１】
2009246643.tif 000003
【図２】
2009246643.tif 000004
【図３】
2009246643.tif 000005
【図４】
2009246643.tif 000006
【図５】
2009246643.tif 000007